(57)【要約】【課題】本発明は、住宅設備設置用スピーカユニットに関するもので、清掃の際に生じる水に対する配慮、及び清掃や使用時に生じる衝撃に対する配慮が充分になされた住宅設備設置用スピーカユニットを提供することをその課題とするものである。【解決手段】樹脂製スピーカブロック１と樹脂製前面カバー２により構成される住宅設備設置用スピーカユニットＡにおいて、樹脂製スピーカブロック１前面に凸状支持部３を多数突出形成し、前面開口部に多数のスリットバー４を設けた樹脂製前面カバー２の該スリットバー４に裏面側へ突出する突出脚部５を複数形成し、前記樹脂製スピーカブロック１前面に上記樹脂製前面カバー２を凸状支持部３と突出脚部５を当止押圧した状態で結合してなるものである。【選択図】図１
2008054158.tif 000002
【特許請求の範囲】
【請求項１】
樹脂製スピーカブロックと樹脂製前面カバーにより構成される住宅設備設置用スピーカユニットにおいて、樹脂製スピーカブロック前面に凸状支持部を多数突出形成し、前面開口部に多数のスリットバーを設けた樹脂製前面カバーの該スリットバーに裏面側へ突出する突出脚部を複数形成し、前記樹脂製スピーカブロック前面に上記樹脂製前面カバーを凸状支持部と突出脚部を当止押圧した状態で結合してなる住宅設備設置用スピーカユニット。
【請求項２】
樹脂製前面カバーのスリットバーの突出脚部間の肉厚を裏面側へ膨出せしめ補強リブを形成してなる請求項１記載の住宅設備設置用スピーカユニット。
【請求項３】
樹脂製前面カバーを樹脂製スピーカブロックより下方に延出して形成した照明設置部に照明器具を設置してなる請求項１記載の住宅設備設置用スピーカユニット。
【発明の詳細な説明】
【技術分野】
【０００１】
本発明は、住宅設備設置用スピーカユニットに関するもので、例えば便器に設置されるもので、トイレ室のように狭い室内環境に適したスピーカユニットに関するものである。
【背景技術】
【０００２】
従来からスピーカユニットの前面カバーに桟（スリットバー）を設けることは特許文献１に示す如く知られている。一般に、前面カバーにスリットバーを設けるのはスピーカブロックの振動部を外部衝撃から保護するためであるがスピーカブロックの音質への影響も考慮する必要がある。特許文献１においては、単に音質を考慮したもので外部衝撃からの保護に対する配慮が充分になされたものでなかった。
【０００３】
又、住宅設備の一つである便器にスピーカユニットを設置することは特許文献２に示す如く知られている。便器はトイレ室内という狭い空間に設置されるもので、清掃の際に水がかかることが多く、又、清掃用具が当たることがあり、人体も衝突することがあって水に対する配慮、衝撃に対する配慮が必要であるが、特許文献２はこれらに対する配慮が充分でないものであった。
【特許文献１】特開昭６０―２５９０８８号公報  （図１及び図５）
【特許文献２】特開２００４―１１３３８８号公報  （図１及び図４）
【発明の開示】
【発明が解決しようとする課題】
【０００４】
本発明は、住宅設備設置用スピーカユニットに関するもので、清掃の際に生じる水に対する配慮、及び清掃や使用時に生じる衝撃に対する配慮が充分になされた住宅設備設置用スピーカユニットを提供することをその課題とするものである。
【課題を解決するための手段】
【０００５】
上記課題を解決するために、本発明に係る住宅設備設置用スピーカユニットは、請求項１においては、樹脂製スピーカブロック前面に凸状支持部を多数突出形成し、前面開口部に多数のスリットバーを設けた樹脂製前面カバーの該スリットバーに裏面側へ突出する突出脚部を複数形成し、前記樹脂製スピーカブロック前面に上記樹脂製前面カバーを凸状支持部と突出脚部を当止押圧した状態で結合してなる住宅設備設置用スピーカユニットである。
【０００６】
又、請求項２においては、樹脂製前面カバーのスリットバーの突出脚部間の肉厚を裏面側へ膨出せしめ補強リブを形成してなる請求項１記載の住宅設備設置用スピーカユニットである。
【０００７】
又、請求項３においては、樹脂製前面カバーを樹脂製スピーカブロックより下方に延出して形成した照明設置部に照明器具を設置してなる請求項１記載の住宅設備設置用スピーカユニットである。
【発明の効果】
【０００８】
請求項１に記載の住宅設備設置用スピーカユニットは、樹脂製スピーカブロック前面に形成した多数の凸状支持部と樹脂製前面カバーのスリットバー裏面側に形成した複数の突出脚部とを当止押圧した状態で結合してなるために、スリットバーは多数の箇所で支持されていることになり、スリットバーは外部衝撃により大きく変形して損傷する恐れが少ないものである。又、スピーカブロック、前面カバー共に樹脂製であるために水に対して悪影響を受ける恐れが少ないものである。
【０００９】
請求項２に記載の住宅設備設置用スピーカユニットは、請求項１に記載の住宅設備設置用スピーカユニットの効果に加え、樹脂製前面カバーのスリットバーの突出脚部間の肉厚を裏面側へ膨出せしめ補強リブを形成してなるために、スリットバーの突出脚部間の強度が大となり損傷の恐れがさらに少ないものである。
【００１０】
請求項３に記載の住宅設備設置用スピーカユニットは、請求項１に記載の住宅設備設置用スピーカユニットの効果に加え、照明設置部に照明器具を備えているために住宅設備設置用スピーカユニットの位置が判明し夜間の使用の際に特に便利なものである。
【発明を実施するための最良の形態】
【００１１】
以下、本発明の住宅設備設置用スピーカユニットの実施形態について図面を参照して詳細に説明する。図１は本発明における住宅設備設置用スピーカユニットの実施例の分解斜視図、図２は図１に示す実施例の側断面図、図３は凸状支持部と突出脚部とを当止押圧した状態を示す説明図である。
【００１２】
図１において、１は樹脂製スピーカブロック、２は樹脂製前面カバーであり、これらの部品で住宅設備設置用スピーカユニットＡを構成するものである。樹脂製スピーカブロック１は外殻が樹脂で形成されているもので、ポリエチレン、ポリプロピレン等の樹脂が使用できる。この樹脂製スピーカブロック１の前面には凸状支持部３が多数形成されており、この凸状支持部３は外殻と一体成形され形成されているものである。
【００１３】
樹脂製前面カバー２は前面開口部にスリットバー４を形成し、全体を樹脂で一体成形されてなるものである。スリットバー４は外部からの衝撃に耐えるために太く大きくして強度を上げようとすると前面開口部を塞ぎ、開口がせまくなって音質を劣化させる原因となる。この樹脂製前面カバー２はスリットバー４に裏面側へ突出する突出脚部５を複数形成してなるもので、樹脂製前面カバー２を成形する際に同時に一体成形してよいものである。凸状支持部３、突出脚部５の形状は円錐台である場合、基部が大であるために損傷し難いもので適したものである。６は照明設置部であり、樹脂製前面カバー２を下方に延出して形成されるもので、照明器具を設置するものである。
【００１４】
住宅設備設置用スピーカユニットＡは樹脂製スピーカブロック１前面に樹脂製前面カバー２を凸状支持部３と突出脚部５を当止押圧した状態で結合固定して形成されるものである。結合固定は具体的にはビスで行われる。
【００１５】
図２は樹脂製スピーカブロック１の前面に樹脂製前面カバー２を結合固定した状態の住宅設備設置用スピーカユニットＡの側断面説明図、図３は樹脂製スピーカブロック１の前面に樹脂製前面カバー２を結合固定した状態の住宅設備設置用スピーカユニットＡの要部横断面図、図４は住宅設備設置用スピーカユニットＡの斜視図である。
【００１６】
図２、図３に示すように、樹脂製スピーカブロック１前面に形成した多数の凸状支持部３に樹脂製前面カバー２のスリットバー４に裏面側へ突出形成した突出脚部５を当止押圧した状態で結合固定しているために、多数の箇所で支持されていることになり、スリットバー４が細いものであっても衝撃に耐える強度を保持させることができるものである。又、図３に示すように、スリットバー４の突出脚部５間の肉厚を裏面側に膨出せしめて補強リブ７を形成するとスリットバー４の強度をさらに向上させることができる。
【００１７】
図４に示す住宅設備設置用スピーカユニットＡは、例えば、図５に示す洋式便器８に用いることができる。即ち、洋式便器８の前部下方に住宅設備設置用スピーカユニットＡを埋め込み設置すれば、洋式便器８を使用中は音楽を鑑賞でき、而も清掃時に損傷する恐れも少ないものであり、又、樹脂製でなるために水に対して強く、更に夜間には足下照明により安全なものである。
【図面の簡単な説明】
【００１８】
【図１】本発明にかかる住宅設備設置用スピーカユニットの実施例の分解斜視図。
【図２】図１に示す実施例の側断面説明図。
【図３】図１に示す実施例の要部断面説明図。
【図４】図１に示す実施例の斜視図。
【図５】図１に示す実施例を洋式便器に使用した状態の側面図。
【符号の説明】
【００１９】
１            樹脂製スピーカブロック
２            樹脂製前面カバー
３            凸状支持部
４            スリットバー
５            突出脚部
６            照明設置部
７            補強リブ
８            洋式便器
Ａ            住宅設備設置用スピーカユニット
【図１】
2008054158.tif 000003
【図２】
2008054158.tif 000004
【図３】
2008054158.tif 000005
【図４】
2008054158.tif 000006
【図５】
2008054158.tif 000007